(57)【要約】【課題】  魚が食い付いたときに、違和感を感じさせることがない質感を有し、遊泳時に水をかき回して波動を生じさせることができる擬似餌を提供する。【解決手段】  本発明は、本体１１が軟質樹脂からなり、前記本体１１の内部に中空部１２を有するようにした。【選択図】    図１
2005087197.tif 000002
【特許請求の範囲】
【発明の詳細な説明】
【技術分野】
【０００１】  本発明は、魚釣りに用いられる擬似餌に関し、特に、柔軟性を有する軟質樹脂からなる擬似餌に関する。
【背景技術】
【０００２】  一般に擬似餌は、本物の餌に似せた形状を有すると共に、水中において生餌のように振る舞うことにより、捕食する魚などの興味を引きつけることができる。擬似餌には、様々な特徴を備えたものが存在し、釣り人は釣りたい魚の種類や、魚の生息する環境に合わせて、種々の擬似餌の中から最適なものを選択しなければならない。【０００３】  特に、ソフトルアーと呼ばれる擬似餌は、主に塩化ビニルなどの熱可塑性樹脂で形成され、捕食される小魚に酷似した柔軟性や弾力性を有するものである。ソフトルアーは、その独特の柔軟性を利用して、水中で生き物のような微妙な動きをさせることができ、幅広く用いられている。【０００４】  さらに、ソフトルアーは、獲物となる魚が生餌と勘違いして食いついたとき、噛み心地が良好なことから、違和感を感じることがない。従って、良好な釣果をあげることができる。また、ソフトルアーは、所定の金型のキャビティ内に軟質樹脂を射出して成形すればよいので、製造工程が容易であるという特徴も有す。【０００５】  ところで、一般に魚は泳ぐ際にヒレを動かし、水流に逆らって周囲の水をかき回すことにより、波動を発生している。その概念図を図３（ａ）に示す。小魚を補食する大型魚は、小魚から発生する波動を感知することにより、小魚を捕らえることができる。【０００６】  一方、塩化ビニルなどの軟質樹脂によって形成された擬似餌では、図３（ｂ）に示すように、本体の柔軟性が高いために、水流の流れに沿って揺らぐのみである。つまり、軟質の擬似餌は、周囲の水をかき回すことができず、波動を発生させることができない。しかも、このような擬似餌は浮力がなく、水を押し戻す力がないので、推進力が生じず、小魚のような遊泳状態を再現できないという問題がある。【０００７】  それに対し、硬質の材料によって形成された擬似餌は、図３（ｃ）に示すように、遊泳時に周囲の水をかき回すことができ、波動を発生させることができる。しかし、硬質の擬似餌は、魚が補食した際に違和感を感じ、すぐに吐き出してしまうという問題がある。【０００８】  そこで、このような問題点を解消するために、内部に中空部を有する硬質材料からなるコアを形成し、その表面に軟質樹脂を被覆した擬似餌が提案されている（例えば、特許文献１参照）。図４に、当該擬似餌の断面図を示す。擬似餌３０は、中空部３３を内包する硬質の芯材３２と、その表面に被覆された軟質樹脂からなる被覆層３１とを具備し構成されている。【０００９】  この擬似餌３０によれば、被覆層３１によって魚のような質感を出せるとともに、硬質の芯材３２が、遊泳時に周りの水をかき回すことができるため、波動を生じさせることができる。
【特許文献１】      特開２００２−５１６６９号公報
【発明の開示】
【発明が解決しようとする課題】
【００１０】  しかしながら、このような擬似餌３０は、軟質樹脂のみからなる擬似餌と比較して製造工程が増加し、製造コストが高くなるという問題がある。さらに、内部に硬質の芯材３２を備えているので、表面だけが柔らかくなるにすぎず、魚が食い付いたときに、違和感を感じて吐き出してしまうという問題がある。【００１１】  そこで、本発明は、上記課題を鑑みてなされたもので、魚が食い付いたときに、違和感を感じさせることがない質感を有し、遊泳時に波動を生じることができる擬似餌を提供する。
【課題を解決するための手段】
【００１２】  上記課題を解決するために、本発明に係る擬似餌は、本体が軟質樹脂からなり、前記本体の内部に中空部を有することを特徴とするものである。【００１３】  この発明によれば、擬似餌の本体が軟質樹脂によって形成されているため、実物の魚のような柔軟性、弾力性が付与された質感を有する。これにより、擬似餌の噛み心地がよくなり、魚の食い付きが良好になるとともに、一旦噛み付けば、放すようなことがなく良好な釣果をあげることが可能になる。【００１４】  また、軟質樹脂単体で形成された擬似餌では、浮力が無いか、もしくは大きな浮力を望めないが、擬似餌の本体内部に中空部を設けることにより、浮力を有することができる。【００１５】  上記構成からなる擬似餌は、前記軟質樹脂に対し、半径７ｍｍ、長さ１８ｍｍの円錐形状を先端に有する金属製のプローブを０．５ｍｍ進入させたるのに要する荷重が２．５５Ｎ〜５．８８Ｎである表面硬度を有することを特徴とするものである。さらに、前記荷重が、２．９４Ｎ〜３．８２Ｎであることが好ましい。【００１６】  この発明において、擬似餌は、生魚のような柔軟性、弾力性を有しつつ、さらに遊泳時に、ヒレが水をかき回すことにより発生する波動を生じさせることが好ましい。そのために、本体を形成する軟質樹脂は、その材料の柔軟性、弾力性を損なうことなく、ある程度の硬度を有することが必要である。そのためには、硬度が生魚よりも大きく、硬質樹脂よりも小さい上記の表面硬度を有することが好ましい。【００１７】  そこで、最適な表面硬度を有する軟質樹脂として、メタクリル樹脂が挙げられる。メタクリル樹脂は、透明度が高く、かつ機械的にも強い性質を有する。さらに、着色することができるので、鮮やかな塗装を施すことができる。
【発明の効果】
【００１８】  即ち、本発明に係る擬似餌は、本体を軟質樹脂によって形成し、その内部に中空部を設けるようにしたので、浮力を有しつつ、本物の魚のような柔軟性及び弾力性を有することができる。このような擬似餌は、リーリング時に、小魚などの水棲生物が遊泳している状況を擬似的に現出させることができる。さらに、獲物となる魚が食い付いても、噛み心地がよく、噛み付いた擬似餌を放すことのない良好な釣果を得ることができる。【００１９】  前記擬似餌の本体は、生魚よりも大きく、硬質樹脂よりも小さい表面硬度を有する軟質樹脂で形成したので、柔軟性、弾力性を有しつつ、魚の遊泳時に発生する波動を生じさせることができ、集魚効果を大きくすることができる。
【発明を実施するための最良の形態】
【００２０】  以下、本発明の一実施形態について図面を参酌しつつ説明する。【００２１】  図１は、本発明の実施の形態による擬似餌の断面図である。擬似餌１０は、中空部１２と、中空部１２を内包した本体１１と、本体１１の底面の顎部から尾部に沿って埋設された中芯１３とを備えて構成される。また、本体１１は、顎部分に水流抵抗板であるリップを備え、外観が魚の形状を有し、軟質樹脂から形成されている。【００２２】  中芯１３には、本体１１の顎部、腹部及び尾部からそれぞれ外部に突出され、この突出された部分に環状を呈した釣糸係止部１３ａ、腹部針掛部１３ｂ及び尾部針掛部１３ｃが形成されている。釣糸係止部１３ａには、釣り竿から繰り出される釣り糸が取り付けられる。腹部針掛部１３ｂおよび尾部針掛部１３ｃには、それぞれ釣り針が取り付けられる。【００２３】  次に、擬似餌１０の成形技術の一例について説明する。
擬似餌１０を形成する金型は、頭部から尾部の中心線に沿って切断するように分割された、左右一対の型から構成されている。そして、各金型のキャビティ内に軟質樹脂を射出して半割状の部材を形成する。なお、一方の半割部材の下面には、中芯１３を埋設させるための窪みが形成され、この窪みに中芯１３を収納する。【００２４】  続いて、半割部材の接合面を互いに当接させて接着する。このときに使用する接着剤としては、弾性接着剤が好ましいが、接着できればこれに限るものではない。その他にも、半割部材の接合面に直接振動を与えて、熱で溶融、圧着する超音波溶着により接合してもよい。【００２５】  また、中空部１２を有する本体１１を一体的に作製する技術として、ダイスライドインジェクション法（以下、ＤＳＩ法ともいう）という成形方法もある。【００２６】  ＤＳＩ法は、２つ以上に分割された成形体を金型内で溶着する方法である。
まず、分割された成形体をスライドさせた状態で、一次射出で成形体の半分ずつを一度に成形する。次いで、金型を開き、スライドさせて各成形体を互いに突き合わせて金型を閉じる。そして、二次射出で２つの成形体の接合部に樹脂を充填し、お互いの成形体を溶着させる。これにより中空部を有する成形体を作製することができる。【００２７】  このＤＳＩ法によれば、これまで、分割された成形体を接合するために行われた接着、溶着の工程は不要となり、接合の工程を削減することができる。しかも、接合強度が向上し、優れた生産性を有することができる。【００２８】  このように、本実施の形態にかかる擬似餌１０によれば、本体１１を軟質樹脂で形成したので、本物の魚のような柔軟性、及び弾力性を有することができ、捕食する魚にとっても違和感のない柔らかさを現出させることができる。また、本体１１内部に中空部１２を設けることにより、浮力を有することができるとともに、製造工程が短縮され、製造コストの削減を実現することができる。【００２９】  なお、上記の実施形態において、擬似餌１０の本体１１を透明な軟質樹脂で形成するとともに、本体１１の断面に、目視する角度によって色が変化する反射シートを貼設してもよい。これにより、擬似餌１０を水中でアクションさせた場合、透明な本体１１を透過した光は、反射シートで反射され、擬似餌１０の動作に応じて反射光の色が変化する。これによって擬似餌１０は、本物の魚が遊泳しているような状態が現出され、大きな集魚効果を得ることができる。【００３０】  また、中空部１２内にバランサー（重心錘）を内蔵してもよく、これにより、擬似餌１０の飛翔距離を伸ばすことができ、急潜行などを思いのままに操作することができる。さらに、釣りたい魚の種類や生息場所に合わせて、バランサーの重量を調整し、所望の深度を狙うことができる擬似餌１０を提供することもできる。【００３１】  また、上記の実施形態において、擬似餌１０は、小魚の形状に似せて形成されているが、それに限定されるものではなく、海老、烏賊、蛸あるいは水棲生物など、獲物の魚が餌とする各種の水棲生物の形状を模したものであってもよい。【００３２】  さらに、上記の実施形態において、擬似餌１０の尾部針掛部１３ｃに、もどりが設けられていない釣り針である傘針を取り付けて、イカ釣り用に使用してもよい。
【実施例】
【００３３】  以下、本発明を実施例に基づいて具体的に説明するが、本発明は以下の実施例に限定されるものではない。【００３４】  本実施例は、物性測定器を用いて、種々の軟質樹脂及び魚が補食している小魚の表面硬度を調べた。図２に、表面硬度を測定する物性測定実験の概略図を示す。図２より、図２（ａ）は測定前の状態、図２（ｂ）は測定中の状態をそれぞれ示す。【００３５】  本実施例では、物性測定器として、レオメーターＣＲ−２００Ｄ（株式会社サン科学製）を使用した。前記物性測定器において、測定材料２３の表面硬度を測定するプローブ２１は、金属製であり、プローブ２１の先端には、半径７ｍｍ、長さ１８ｍｍの円錐形状を有する。そして、測定条件として、プローブ２１の進入距離（ａ）を０．１ｍｍまたは０．５ｍｍ、進入速度を１００ｍｍ／ｓに設定した。【００３６】  次に、表面硬度の測定方法について説明する。
まず、物性測定器の測定台２２に、測定材料２３を置き、測定を開始する。すると、図２（ａ）に示すように、測定台２２が前記進入速度で、プローブ２１方向へ移動する。そして、図２（ｂ）に示すように、プローブ２１が測定材料２３に対して、所定の進入距離（ａ）の進入を行い、このときの表面硬度（Ｎ）を測定する。【００３７】
【表１】
2005087197.tif 000003
【００３８】  上記の表１より、実施例１〜１０は、種々の軟質樹脂の材料である。実施例１〜６のパラペット（登録商標）は、メタクリル樹脂（ＰＭＭＡ）の成形材料である。また、実施例２のパラペット（登録商標）は、材料の表面に塗装を施したものである。実施例３のパラペット（登録商標）は、特に柔軟性に富んだ性質を有し、低温環境下（０℃以下）でも柔軟性を損なわない性質を有する製品である。実施例４のパラペット（登録商標）は、発泡成形したものである。実施例５のパラペット（登録商標）は、内部に中空部を有するものである。実施例６のパラペット（登録商標）は、前記中空部を有するとともに、材料の表面に布を巻いたものである。【００３９】  実施例７および８のラバロン（登録商標）は、スチレン系熱可塑性エラストマーの成形材料である。実施例８のラバロン（登録商標）は、発泡成形したものである。実施例９のプロマロイ（登録商標）は、ポリエステル系熱可塑性エラストマーの成形材料である。実施例１０のコスモゲル（登録商標）は、ポリエチレン系の新素材である。【００４０】  比較例１の塩化ビニル樹脂は、通常のソフトルアーに使用される材料である。比較例２のＡＢＳ（ａｃｒｙｌｏｎｉｔｒｉｌｅ−ｂｕｔａｄｉｅｎｅ−ｓｔｙｒｅｎｅ）樹脂は、通常の硬質樹脂ルアーに使用される材料である。比較例３の鉛は、ジグ（ルアー自体にアクション性がないタイプのもの）に使用される材料である。参考例１〜７は、大型の魚が補食する小魚である。本実施例では、これらの魚を生きたままの状態で測定台２２に載せて測定した。【００４１】  上述した各材料及び生魚について、プローブ２１を所定の距離、進入させるのに要する荷重（Ｎ）を測定した。まず、進入距離を０．１ｍｍとしたときの荷重（Ｎ）を５回測定し、その平均値を求めた。次に、進入距離を０．５ｍｍとしたときの荷重（Ｎ）を５回測定し、その平均値を求めた。【００４２】  表１の結果から、小魚の荷重（Ｎ）は、進入距離が０．１ｍｍのとき、０．３９Ｎ〜０．５９Ｎであった。また、進入距離が０．５ｍｍのときは、０．４９Ｎ〜１．２８Ｎであった。この小魚と同様の表面硬度を有する材料として、実施例７〜１０のラバロン（登録商標）、プリマロイ（登録商標）、コスモゲル（登録商標）および比較例１の塩化ビニル樹脂があることが分かった。【００４３】  しかしながら、上記の小魚と同様の表面硬度を有する材料は、高い柔軟性を有するものの、水流を受けても遊泳を行わず揺らいでいるのみで、水を押し戻す力がなかった。つまり、図３（ｂ）に示すように、小魚が遊泳時に発生する波動を生じさせることができないことが分かった。【００４４】  従って、高い柔軟性を有し、遊泳時に波動を生じさせる材料として、表面硬度が小魚よりも大きく、硬質樹脂よりも小さいものが妥当であると考えられる。進入距離が０．５ｍｍのとき、生魚の中で最も大きい表面硬度を有するスズメダイの最大値は１．２８Ｎであった。また、硬質樹脂であるＡＢＳ樹脂の表面硬度の最小値は１１．９６Ｎであった。この結果から、表面硬度が１．２８Ｎ〜１１．９６Ｎの範囲内に存在する軟質樹脂が好ましいと考えられる。【００４５】  このような条件を満たす材料として、パラペット（��録商標）が挙げられる。パラペット（登録商標）は、進入距離が０．５ｍｍのときの荷重が、２．５５Ｎ〜５．８８Ｎであった。この値は、前述したスズメダイの最大値（１．２８Ｎ）よりも大きく、ＡＢＳ樹脂の最小値（１１．９６Ｎ）よりも小さいものであった。さらに、パラペット（登録商標）で成形した擬似餌は、リトリーブ時に、小魚と同様に水をかき回すことができるため、波動を発生することが分かった。【００４６】  また、パラペット（登録商標）で成形した擬似餌の内部に中空部を設けることにより、浮力を有することができることから、最も好ましい荷重は、２．９４Ｎ〜３．８２Ｎであることが分かった。【００４７】  以上、本実施例によれば、プローブを０．５ｍｍ進入させるのに要する荷重が２．５５Ｎ〜５．８８Ｎである軟質樹脂を使用することが好ましく、荷重が２．９４Ｎ〜３．８２Ｎの軟質樹脂を使用することがより好ましいことが分かった。上記荷重の値の範囲に存在する軟質樹脂であれば、パラペット（登録商標）に限られず何でもよい。もちろん、パラペット（登録商標）の成形材料であるメタクリル樹脂でもよい。【００４８】  パラペット（登録商標）の特徴として、柔軟性及び弾力性に優れ、かつ、一般のメタクリル樹脂の優れた特徴である透明性、耐候性をも有する良好な材料であることが挙げられる。しかも、強度が高い上、透明度が高く塗装し易いという特徴を有するので、生きた魚に似せた鮮やかな塗装を施すことができる。
【図面の簡単な説明】
【００４９】
【図１】  本発明の実施の形態１による擬似餌の断面図である。
【図２】  本実施例による物性測定実験を説明するための概略図である。図２（ａ）は測定前、図２（ｂ）は測定中の概略図をそれぞれ示す。
【図３】  小魚及び擬似餌が水中で遊泳している状態を説明するための図である。図３（ａ）は小魚、図３（ｂ）は塩化ビニルなどの軟質樹脂で形成された擬似餌、図３（ｃ）は硬質樹脂で形成された擬似餌の遊泳状態をそれぞれ示す。
【図４】  従来の擬似餌の断面図である。
【符号の説明】
【００５０】  １０…擬似餌
１１…本体
１２…中空部
【図１】
2005087197.tif 000004
【図２】
2005087197.tif 000005
【図３】
2005087197.tif 000006
【図４】
2005087197.tif 000007
【手続補正書】
【提出日】平成15年11月6日(2003.11.6)
【手続補正１】
【補正対象書類名】特許請求の範囲
【補正対象項目名】全文
【補正方法】追加
【補正の内容】
【特許請求の範囲】
【請求項１】
本体（１１）が軟質樹脂からなり、前記本体（１１）の内部に中空部（１２）を有することを特徴とする擬似餌。
【請求項２】
前記軟質樹脂に対し、半径７ｍｍ、長さ１８ｍｍの円錐形状を先端に有する金属製のプローブを０．５ｍｍ進入させるのに要する荷重が、２．５５Ｎ〜５．８８Ｎである表面硬度を有することを特徴とする請求項１記載の擬似餌。
【請求項３】
前記荷重が、２．９４Ｎ〜３．８２Ｎであることを特徴とする請求項２記載の擬似餌。
【請求項４】
前記軟質樹脂は、メタクリル樹脂であることを特徴とする請求項１記載の擬似餌。